(57)【要約】      （修正有）【課題】全体の強度が高く、ボディーラインをきれいに整えられるコルセットを提供する。【解決手段】コルセット１００の右本体１と左本体２とを三層構造とし、表材３と中間材との間に２６本以上の骨６を略一定間隔で設けた構造である。このコルセット１００は、ユーザのウエストに後ろから巻き付けて前で前記フック９と突起１０を係合して装着する。本体１，２は三層構造であり高い強度と一定の柔軟性を備えているので、ボディーラインをきれいに矯正できる。前記骨６は、適度にしなりボディーラインの矯正に寄与する。特に、合計２６本の骨６を内蔵していることから、高い矯正力を得ることができる。【選択図】図１
0003196339.tif 000002
【実用新案登録請求の範囲】
【請求項１】
本体が布の表材、中間材及び裏材を三層に積層した構造であり、且つ、前記本体には、合計２６本以上の弾性力を有する骨が縦方向に所定間隔で設けられたことを特徴とするコルセット。
【請求項２】
前記骨は、表材と中間材との間に配置されることを特徴とする請求項１に記載のコルセット。
【請求項３】
前記骨は、弾性力を有する短冊形状の樹脂製又は竹製であることを特徴とする請求項１又は２に記載のコルセット。
【考案の詳細な説明】
【技術分野】
【０００１】
本考案は、力が加わる耐久力の高いコルセットに関するものである。
【背景技術】
【０００２】
従来から特許文献１に記載されているようなコルセットが知られている。このコルセットは、下着として使用可能であり、且つ、ボディーラインを形成する骨格を矯正するものである。このコルセットは、前身頃および後身頃からなるコルセット本体と、このコルセット本体の後身頃の中央線と線対称の位置に取り付けて帯状に延出し且つ前身頃にあてがわれる部分よりも後身頃にあてがわれる部分の幅を広く形成した一対の矯正片と、矯正片に取り付けられ当該矯正片を前記コルセットに巻き付けた状態に係止可能な係止部とを備えた構成である。
【０００３】
このコルセットを着用し、骨格を矯正したい部位の矯正片の先端を掴んで、矯正したい骨格に巻き付け、全体的に骨格を強く包み込んで締め付ける。これにより、積極的に骨格を矯正し、理想のボディーラインを構築する基礎となる骨格を形成することができる。
【先行技術文献】
【特許文献】
【０００４】
【特許文献１】実用新案登録第３０４１４７８号公報
【考案の概要】
【考案が解決しようとする課題】
【０００５】
しかしながら、上記従来のコルセットでは、全体が弾性布により構成されているので、強度が低く、一定の締め付けは可能であるが、強く締め付けるには限界があった。この考案は係る問題点を解決することを目的とする。
【課題を解決するための手段】
【０００６】
本考案に係るコルセットは、本体が布の表材、中間材及び裏材を三層に積層した構造であり、且つ、前記本体には、合計２６本以上の弾性力を有する骨が縦方向に所定間隔で設けられたことを特徴とする。
【０００７】
また、前記骨は、表材と中間材との間に配置されるようにするのが好ましい。更に、前記骨は、弾性力を有する短冊形状の樹脂製又は竹製とするのが好ましい。
【図面の簡単な説明】
【０００８】
【図１】この考案の実施の形態に係るコルセットを示す平面図である。
【図２】図１に示したコルセットを示す裏面図である。
【図３】図１に示したコルセットを示す一部拡大・破断図である。
【図４】図１に示したコルセットを示す一部断面図である。
【図５】このコルセットの使用状態を示す説明図である。
【考案を実施するための形態】
【０００９】
このコルセット１００は、本体が略長方形又は帯状の右本体１及び左本体２からなる二分割構造であり、各本体１，２は、図３及び図４に示すように布材を表材３、中間材４及び裏材５の三層に積層した構造である。表材３は、外部に露出する側となるため、装飾性や質感の高い布材を用いて構成する。必要により刺繍やプリントを施すことが可能である。中間材４は、外部に露出したいことから、厚手の強い布材を用いるのが好ましい。例えば帆布等でも良い。裏材５は、肌に当たる面となるため、肌触りの良い布材を用いる。綿やシルクの素材を用いるのが好ましい。
【００１０】
各本体１，２には、１３本の骨が均等に設けられている。本体全部で、合計２６本の骨６が縦方向（図５に示すような装着状態で上下方向）に配置される。骨６は、幅が３ｍｍ以上１０ｍｍ以下、厚さは１ｍｍ以上３ｍｍ以下とする。長さは、２００ｍｍ以上３００ｍｍ以下であるが、本体１，２の上下方向の長さにより制限される。好ましくは、本体１，２の上下方向の殆ど全てに渡り設けるのが好ましい。骨６は、樹脂、竹、アルミニウム等を用いることができる。装着時に体にフィットしやすいよう弾性力が高い樹脂や竹が好適である。
【００１１】
骨６は、表材３と中間材４との間に配置され、図４に示すように、長手方向の左右側で縫製（縫製部７）されて各本体１，２の内部に固定される。縫製部７は表材３から裏材５まで通して縫設され、本体１，２の強度の増加に寄与するものである。骨６は、一定間隔に設けられるが必ずしも厳密に同一間隔である必要はない。ボディーラインを強く整えたい部分の間隔を狭くして当該部分の強度を高めるようにしても良い。例えば、ウエストのくびれを形成するため、本体１，２のうち、図５に示すような装着状態で横っ腹に対応する部位において、骨６の間隔を狭くするものとする。これにより、横っ腹のウエストラインを強く矯正できる。
【００１２】
骨６は、中間材４と表材３の間に配置され、換言すれば肌との間に中間材４及び裏材５が介在することになるので、骨６が肌に当たり難くなり、装着時の骨６による違和感を減少できる。特に、中間材４に強い布や厚手の布材を用いることで、肌に対してよりソフトに骨６が当たるようになる。更に、裏材５の表面に骨６による凹凸が生じ難いので、肌面に骨６の跡が残り難くなる。
【００１３】
骨６は、短冊形状であり面が布材（中間材４、裏材５）に展着した状態とする。これにより、装着時に柔軟にしなると共に一定の強度をもってコルセット１００を体にフィットさせることができる。また、骨６は、縫製部７により形成された袋状の内部に配置され、表材３や中間材４に接着されていないので、一定範囲で動く。このため、本体１，２を変形させた際でもつっぱりがなく、変形に従動する。
【００１４】
右本体１は、左端縁及び右端縁に前記骨６が設けられる。端縁に骨６を設けることで本体の形を良好に保持できる。更に、右本体１の左端縁近傍には、左本体２との連結を行うための穴８が複数上下方向に設けられる。右本体１の右端縁は、図５に示すように装着時に正面側となり、左本体２の左端縁と連結するためのフック９が複数上下方向に所定間隔で設けられている。
【００１５】
左本体２は、左端縁及び右端縁に前記骨６材が設けられる。端縁に骨６材を設けることで本体の形を良好に保持できる。更に、左本体２の右端縁近傍には、右本体１との連結を行うための穴８が複数上下方向に設けられる。また、左本体２の左端縁は、図５に示すように装着時に正面側となり、右本体１の右端縁と連結するための茸状の突起１０が複数上下方向に所定間隔で設けられている。
【００１６】
右本体１と左本体２とは、前記端縁に設けた穴８に所定の紐１１を通すことで連結する。これにより左本体２と右本体１との間の間隔を調整できる。
【００１７】
図２に示すように、左本体２の裏材５には、フラップ１２が設けられる。フラップ１２は端部が左本体２の裏布の端縁近傍に縫い付けられ、全体が略矩形である。横方向の長さは、コルセット１００全体の横方向の調整しろとなる。即ち、前記紐１１により右本体１と左本体２との間隔が調整され、その際に右本体１と左本体２との間隔を埋めるようにフラップ１２が配置される。フラップ１２も、本体と同様に三層構造としても良いが、強度が必要な部位ではないため一層または二層でも良い。
【００１８】
また、本体１，２の裏材５の表面であって上下方向の略中間位置で且つ横方向には、補強帯１３を設けても良い。この補強帯１３は裏材５に縫い付けられる。これにより、ウエストラインの横方向の伸びを抑制して全体を強くできる。
【００１９】
このコルセット１００は、図５に示すように、ユーザのウエストに後ろから巻き付けて前で前記フック９と突起１０を係合して装着する。本体１，２は三層構造であり高い強度と一定の柔軟性を備えているので、ボディーラインをきれいに矯正できる。前記骨６は、適度にしなりボディーラインの矯正に寄与する。特に、合計２６本の骨６を内蔵していることから、高い矯正力を得ることができる。
【００２０】
なお、上記実施の形態では、三層構造を採用したが、四層以上の構成を採用することもできる。この場合、骨６と肌の間に少なくとも、裏材５を含む二層以上の布材が介在するようにするのが、上記観点から好ましいものである。また、骨６の数が多いほうがボディーラインをきれいに整えることができるので、２６本以上の骨６を用いることも可能である。
【符号の説明】
【００２１】
１００  コルセット
１  右本体
２  左本体
３  表材
４  中間材
５  裏材
６  骨
【図１】
0003196339.tif 000003
【図２】
0003196339.tif 000004
【図３】
0003196339.tif 000005
【図４】
0003196339.tif 000006
【図５】
0003196339.tif 000007